(57)【要約】      （修正有）【課題】  高速移動に際しても通信可能な基地局の選択を迅速に行なえ、ハンドオーバが起き難い技術を提供する。【解決手段】記憶手段に系列的に記憶されている特定情報から読み出された特定情報と、検知手段により位置Ｐ１で検知された基地局からの特定情報ａ１とを対比する第１ステップと、対比が一致した場合、この一致した特定情報ａ１に対応する該検知手段により検知された基地局Ａ１を前記選択手段により選択する第２ステップと、位置Ｐ１から次位置Ｐ２に移動電話機が移動した場合において、前記特定情報ａ１の次位置に系列的に記憶されている特定情報を前記記憶手段から読み出し、読み出された特定情報と位置Ｐ２で前記検知手段により検知された基地局からの特定情報ａ２とを対比する第３ステップと、対比が一致した場合、この一致した特定情報ａ２に対応する該検知手段により検知された基地局Ａ２を前記選択手段により選択する第４ステップとを具備する。【選択図】  図２
2005150793.tif 000002
【特許請求の範囲】
【請求項１】
基地局からの特定情報を検知する検知手段と、
基地局を特定する特定情報が記憶されている記憶手段と、
前記検知手段により検知された基地局からの特定情報と前記記憶手段から読み出された特定情報とを対比し、該検知手段により検知された基地局の特定情報と該読み出された特定情報とが一致した場合、一致した特定情報に対応する該検知手段により検知された基地局を選択する選択手段
とを具備することを特徴とする移動電話機。
【請求項２】
基地局からの特定情報を検知する検知手段と、
基地局を特定する特定情報が系列的に記憶されている記憶手段と、
前記記憶手段から系列的に記憶されている特定情報を読み出し、この読み出された特定情報と前記検知手段により検知された基地局からの特定情報とを対比して一致した場合、この一致した特定情報に対応する該検知手段により検知された基地局を選択する選択手段
とを具備することを特徴とする移動電話機。
【請求項３】
基地局からの特定情報を検知する検知手段と、
基地局を特定する特定情報が系列的に記憶されている記憶手段と、
位置Ｐ１で、前記検知手段により検知された基地局からの特定情報ａ１と前記記憶手段に系列的に記憶されている特定情報から読み出された特定情報とを対比して一致した場合、この一致した特定情報ａ１に対応する該検知手段により検知された基地局Ａ１を選択し、位置Ｐ１の次位置Ｐ２では、前記特定情報ａ１の次位置に系列的に記憶されている特定情報を読み出し、この読み出された特定情報と位置Ｐ２で前記検知手段により検知された基地局からの特定情報ａ２とを対比して一致した場合、この一致した特定情報ａ２に対応する該検知手段により検知された基地局Ａ２を選択する選択手段
とを具備することを特徴とする移動電話機。
【請求項４】
基地局からの特定情報を検知する検知手段と、基地局を特定する特定情報が系列的に記憶されている記憶手段と、交信に際しての基地局を選択する選択手段とを備えた移動電話機の基地局を選択する方法であって、
前記記憶手段に系列的に記憶されている特定情報から読み出された特定情報と、前記検知手段により位置Ｐ１で検知された基地局からの特定情報ａ１とを対比する第１ステップと、
前記第１ステップにおいて、対比が一致した場合、この一致した特定情報ａ１に対応する該検知手段により検知された基地局Ａ１を前記選択手段により選択する第２ステップと、
前記第２ステップの後で、かつ、位置Ｐ１から次位置Ｐ２に移動電話機が移動した場合において、前記特定情報ａ１の次位置に系列的に記憶されている特定情報を前記記憶手段から読み出し、この読み出された特定情報と位置Ｐ２で前記検知手段により検知された基地局からの特定情報ａ２とを対比する第３ステップと、
前記第３ステップにおいて、対比が一致した場合、この一致した特定情報ａ２に対応する該検知手段により検知された基地局Ａ２を前記選択手段により選択する第４ステップ
とを具備することを特徴とする移動電話機の基地局選択方法。
【発明の詳細な説明】
【技術分野】
【０００１】
本発明は移動電話機に関する。特に、移動に際して最適な基地局を速やかに選択できる機能を有する移動電話機に関する。
【背景技術】
【０００２】
従来の携帯電話機における待ち受け、通信対象の基地局選択動作は、基地局からの報知信号を可能性が有る周波数のサーチから開始し、候補を見つけるまでに時間が掛かっている。この為、特に、高速移動時には問題となる。従って、基地局の選択が速やかに行なわれるようにする必要が有る。
【０００３】
このような観点から各種の提案が行なわれている。
例えば、特開平７−１４３５４４号公報では、複数の通信事業者に対応した通信が可能な移動体通信端末装置において、現在の位置を測定する測位手段と、上記複数の通信事業者に属する各基地局の位置情報及び通信事業者の識別情報が記憶される基地局位置情報記憶手段と、上記測位手段からの測位出力と上記基地局位置情報記憶手段からの情報出力とに基づき、所望の通信事業者に属しかつ最適な位置にある基地局を選択する最適基地局選択手段とを有することを特徴とする移動体通信端末装置が提案されており、それまでは、所望の通信方式の複数の基地局の内の最も近距離にある基地局が常に選択できるとは限らなかったものの、この技術によれば、所望の通信事業者が運営する基地局、あるいは所望の通信方式の基地局の内で、最も近距離にある基地局を選択することができ、通信エラーが少なく、高音質で安定した通信を実現できると謳われている。すなわち、現在位置から最適の位置にある基地局を選択できるようになり、信号強度の大きい基地局を選択でき、通信エラーの少ない高音質で安定した通信が実現できると謳われている。
【０００４】
又、特開２０００−２１３９４８号公報では、携帯端末用基地局と、基地局から放出される任意の地点の電界を測定する電界測定手段を備えた携帯端末と、測定した電界値を記憶する電界強度データ記憶手段と、記憶した電界値を平滑化する平滑化手段と、平滑化されたデータから移動している方向を同定する方向同定手段と、移動してきたトレース情報を格納しておくトレース情報格納手段と、デジタル地図を格納しておく地図格納手段と、得られた電界強度データから地図上の座標を出力する電界−座標変換手段と、方向同定手段から得られた方向とトレース情報とデジタル地図情報と電界−座標変換手段から現在地を推定するリンク同定手段とを備え、移動体の現在地を推定する移動体マップマッチング装置が提案されている。
【０００５】
又、特開２００１−３０９４２０号公報では、所定のビームエリアを有する、複数の基地局と、該基地局のうちのいずれかを介して情報を要求し、該要求された情報を前記基地局のうちの少なくとも１つを介して受信する移動端末と、前記情報要求を受信した場合に、前記移動端末から取得された端末位置情報に基づいて、前記移動端末の移動経路を予測する移動経路予測手段、該予測された移動経路の少なくとも一部を含むビームエリアを有する基地局を選択する基地局選択手段、および、該選択された基地局に前記要求された情報を送信する情報送信手段、を備え、前記複数の基地局と接続された無線制御局とを有する無線通信システムが提案されている。
【０００６】
又、特開２００２−９５０３６号公報では、データを入力する入力手段と、前記入力手段から入力されたデータをデータの種別に応じて関連付けて記憶する記憶手段と、前記記憶手段に記憶されている記憶情報と前記入力手段から入力したデータとを照合して現在一番近い場所の特定の位置を認識する位置認識手段と、前記位置認識手段から出力する位置認識出力に基づいて現在位置を表示制御する表示・制御手段とを具備することを特徴とする移動電話装置用表示装置が提案されている。
【０００７】
【特許文献１】特開平７−１４３５４４
【特許文献２】特開２０００−２１３９４８
【特許文献３】特開２００１−３０９４２０
【特許文献４】特開２００２−９５０３６
【発明の開示】
【発明が解決しようとする課題】
【０００８】
ところで、特開平７−１４３５４４号公報においては、現在位置から最適の位置にある基地局を選択できると謳われているものの、最適位置の基地局を如何にスピーディに選択できるようにするかの観点から技術開発が進められたものでは無い。従って、最適位置の基地局の選択に時間が掛かる恐れが有り、ハンドオーバが発生する恐れが有る。
【０００９】
又、特開２０００−２１３９４８号公報の技術は、それまでのものが、屋内においては、ＧＰＳ技術が使えず、又、歩行者のマップマッチングが確立されていない為に歩行者のナビゲーションが行なえないとか、屋外において位置検出の為にジャイロ機器を持ち歩くには歩行者には負荷が掛るとか、電界強度を用いた位置検出技術では、１回の電界強度測定で位置検出を行なうが、電界強度は同じ位置で測定しても値が変化する為に検出された位置情報の信頼性が高くないとか、現行の電界強度を用いた位置検出技術では基地局からの電界強度が測定できなかった場合に対応できないとか、現行の電界強度を用いた位置検出技術では屋内において歩行者の位置を知るには非接触ＩＣカードなどの位置を知る為だけの機器を特定地点に設置しなければならず、コストが高くなるのに対して、歩行者の位置検出が簡便に、かつ、精度よく行なえるものに過ぎず、例えば高速移動に際して基地局の選択をスピーディに行なえるようにするものでは無い。
【００１０】
又、特開２００１−３０９４２０号公報の技術は、有線ＬＡＮにおいては１０Ｍビット／秒が標準の通信速度であることを考えると、高速移動環境下における通信速度はインターネットを介したサービスを享受するのに十分なものであるとは言い難いことから、このような問題を解決する為に、車等の高速な移動が可能な移動体によるインターネットアクセスを始めとしたパケット通信を提供する際において、高速で、かつ、確実なダウンロードサービスを享受できる無線通信システムを提供するものであって、これ、また、高速移動に際して基地局の選択をスピーディに行なえるようにするものでは無い。
【００１１】
又、特開２００２−９５０３６号公報の技術は、移動電話装置により必要な路線における現在位置情報を迅速に知ることができる移動電話装置用表示装置を提供するものであって、これ、また、高速移動に際して基地局の選択をスピーディに行なえるようにするものでは無い。
【００１２】
いずれにしても、従来にあっては、高速移動に際して、基地局の選択をスピーディに行なえるようにする為には如何にすべきであるかの考えが無い。
【００１３】
従って、本発明が解決しようとする課題は、高速移動に際しても通信可能な基地局の選択を迅速に行なえ、ハンドオーバが起き難い技術を提供することである。
【課題を解決するための手段】
【００１４】
前記の課題は、基地局からの特定情報を検知する検知手段と、
基地局を特定する特定情報が記憶されている記憶手段と、
前記検知手段により検知された基地局からの特定情報と前記記憶手段から読み出された特定情報とを対比し、該検知手段により検知された基地局の特定情報と該読み出された特定情報とが一致した場合、一致した特定情報に対応する該検知手段により検知された基地局を選択する選択手段
とを具備することを特徴とする移動電話機によって解決される。
【００１５】
特に、基地局からの特定情報を検知する検知手段と、
基地局を特定する特定情報が系列的に記憶されている記憶手段と、
前記記憶手段から系列的に記憶されている特定情報を読み出し、この読み出された特定情報と前記検知手段により検知された基地局からの特定情報とを対比して一致した場合、この一致した特定情報に対応する該検知手段により検知された基地局を選択する選択手段
とを具備することを特徴とする移動電話機によって解決される。
【００１６】
更には、基地局からの特定情報を検知する検知手段と、
基地局を特定する特定情報が系列的に記憶されている記憶手段と、
位置Ｐ１で、前記検知手段により検知された基地局からの特定情報ａ１と前記記憶手段に系列的に記憶されている特定情報から読み出された特定情報とを対比して一致した場合、この一致した特定情報ａ１に対応する該検知手段により検知された基地局Ａ１を選択し、位置Ｐ１の次位置Ｐ２では、前記特定情報ａ１の次位置に系列的に記憶されている特定情報を読み出し、この読み出された特定情報と位置Ｐ２で前記検知手段により検知された基地局からの特定情報ａ２とを対比して一致した場合、この一致した特定情報ａ２に対応する該検知手段により検知された基地局Ａ２を選択する選択手段
とを具備することを特徴とする移動電話機によって解決される。
【００１７】
或いは、基地局からの特定情報を検知する検知手段と、基地局を特定する特定情報が系列的に記憶されている記憶手段と、交信に際しての基地局を選択する選択手段とを備えた移動電話機の基地局を選択する方法であって、
前記記憶手段に系列的に記憶されている特定情報から読み出された特定情報と、前記検知手段により位置Ｐ１で検知された基地局からの特定情報ａ１とを対比する第１ステップと、
前記第１ステップにおいて、対比が一致した場合、この一致した特定情報ａ１に対応する該検知手段により検知された基地局Ａ１を前記選択手段により選択する第２ステップと、
前記第２ステップの後で、かつ、位置Ｐ１から次位置Ｐ２に移動電話機が移動した場合において、前記特定情報ａ１の次位置に系列的に記憶されている特定情報を前記記憶手段から読み出し、この読み出された特定情報と位置Ｐ２で前記検知手段により検知された基地局からの特定情報ａ２とを対比する第３ステップと、
前記第３ステップにおいて、対比が一致した場合、この一致した特定情報ａ２に対応する該検知手段により検知された基地局Ａ２を前記選択手段により選択する第４ステップ
とを具備することを特徴とする移動電話機の基地局選択方法によって解決される。
【発明の効果】
【００１８】
本発明にあっては、予め、基地局を特定する特定情報を記憶手段に記憶させておき、検知手段により検知された基地局からの特定情報が記憶情報の中に存在しておれば、その特定情報に該当する基地局を交信基地局として選択するようにしているから、基地局の切り替えに際して周辺基地局検索から行なっていた動作が減少し、基地局選択がスピーディに行なわれるようになる。従って、ハンドオーバが起き難く（基地局の切り替えが少なく）なる。
【００１９】
特に、基地局を特定する特定情報を記憶手段に記憶させておくに際して、特定情報が系列的に記憶されていることが好ましい。例えば、ルートＡにおける交信基地局が順にＡ１−Ａ２−Ａ３−Ａ４−Ａ５−Ａ６−……−Ａｎである場合に、基地局Ａ１，Ａ２，Ａ３，Ａ４，Ａ５，Ａ６，……，Ａｎを特定する特定情報ａ１，ａ２，ａ３，ａ４，ａ５，ａ６，……，ａｎが順に記憶されていると、又、ルートＢにおける交信基地局が順にＡ１−Ａ２−Ｂ１−Ｂ２−Ｂ３−Ｂ４−Ｂ５−Ｂ６−……−Ｂｎである場合に、基地局Ａ１，Ａ２，Ｂ１，Ｂ２，Ｂ３，Ｂ４，Ｂ５，Ｂ６，……，Ｂｎを特定する特定情報ａ１，ａ２，ｂ１，ｂ２，ｂ３，ｂ４，ｂ５，ｂ６，……，ｂｎが順に記憶されていると、又、ルートＣにける交信基地局が順にＡ１−Ｃ１−Ｃ２−Ｃ３−Ｃ４−Ｃ５−Ｃ６−……−Ｃｎである場合に、基地局Ａ１，Ｃ１，Ｃ２，Ｃ３，Ｃ４，Ｃ５，Ｃ６，……，Ｃｎを特定する特定情報ａ１，ｃ１，ｃ２，ｃ３，ｃ４，ｃ５，ｃ６，……，ｃｎが順に記憶されているとする。そうすると、現在位置（最初）において、電界強度が一定値以上有るものとして検出された基地局の特定情報がａ１であったとした場合において、この特定情報ａ１が記憶されている特定情報の中に有るか無いかを検索し、ａ１が有った場合には、移動電話機は交信基地局として特定情報ａ１に対応する基地局Ａ１を選択する。そして、交信する。尚、この時点では基地局Ａ１が登録されているルートとしてはルートＡ，Ｂ，Ｃの三つが有る。ここで、移動電話機が移動して行って、電界強度が一定値以上有るものとして検出された基地局の特定情報がａ２であったとする。そうすると、前記と同様、特定情報ａ２が記憶されている特定情報の中に有るか無いかを検索し、ａ２が有った場合には、移動電話機はルートＡ，Ｂの上を移動しているものと見做し、移動電話機は交信基地局として特定情報ａ２に対応する基地局Ａ２を選択する。そして、交信する。更に、移動して行って、電界強度が一定値以上有るものとして検出された基地局の特定情報がａ３であったとする。そうすると、前記と同様、特定情報ａ３が記憶されている特定情報の中に有るか無いかを検索し、ａ３が有った場合には、移動電話機はルートＡの上を移動しているものと見做し、移動電話機は交信基地局として特定情報ａ３に対応する基地局Ａ３を選択する。そして、交信する。順に、前記の動作が繰り返され、ルートＡの上を移動電話機が移動しているので有れば、電界強度が一定値以上有るものとして検出された基地局の特定情報ａｋは必ず登録されているから、ａｋが検出されれば、それを選択する。そして、前述のようにして交信基地局を選択するようにすれば、より迅速に基地局を選択でき、高速移動に際してハンドオーバが起きる恐れは大幅に無くなる。
【００２０】
そして、ルートＡから外れた時点においては、対応する基地局が登録されていないので、その時点から基地局の選択には、従来の場合と同様に通常の検索が行なわれる。つまり、電界強度が最も強い基地局を選択するようにする。
【００２１】
尚、基地局の登録は、上記の如くルート別（系列的）に登録しなくても良い。つまり、ランダムに登録しておくのみでも良いが、これでは検索に時間が多少掛かる。従って、記憶手段には基地局を特定する特定情報が系列的に記憶されていることが好ましい。
【００２２】
上記特長を図解すると図３に示す通りである。すなわち、現在位置が基地局Ａ１でカバーされている位置であり、そして基地局Ｚ１や基地局Ａ２でカバーされる（但し、基地局Ａ２よりも基地局Ｚ１により先にカバーされる）位置に移動する場合において、基地局Ｚ１を選択し、次に基地局Ａ２を選択するよりも、基地局Ａ１の次には基地局Ａ２を選択するようにしておけば、つまり移動経路が矢印で示されるような場合において、基地局Ａ１の次に基地局Ａ２が選択されるように登録されておれば、これに沿って切り替えが行なわれる方が切替は少ないものとなり、通信状態が良いものとなる。
【発明を実施するための最良の形態】
【００２３】
本発明になる移動電話機は、基地局からの特定情報を検知する検知手段と、基地局を特定する特定情報が記憶されている記憶手段と、前記検知手段により検知された基地局からの特定情報と前記記憶手段から読み出された特定情報とを対比し、該検知手段により検知された基地局の特定情報と該読み出された特定情報とが一致した場合、一致した特定情報に対応する該検知手段により検知された基地局を選択する選択手段とを具備する。特に、基地局からの特定情報を検知する検知手段と、基地局を特定する特定情報が系列的に記憶されている記憶手段と、前記記憶手段から系列的に記憶されている特定情報を読み出し、この読み出された特定情報と前記検知手段により検知された基地局からの特定情報とを対比して一致した場合、この一致した特定情報に対応する該検知手段により検知された基地局を選択する選択手段とを具備する。更には、基地局からの特定情報を検知する検知手段と、基地局を特定する特定情報が系列的に記憶されている記憶手段と、位置Ｐ１で、前記検知手段により検知された基地局からの特定情報ａ１と前記記憶手段に系列的に記憶されている特定情報から読み出された特定情報とを対比して一致した場合、この一致した特定情報ａ１に対応する該検知手段により検知された基地局Ａ１を選択し、位置Ｐ１の次位置Ｐ２では、前記特定情報ａ１の次位置に系列的に記憶されている特定情報を読み出し、この読み出された特定情報と位置Ｐ２で前記検知手段により検知された基地局からの特定情報ａ２とを対比して一致した場合、この一致した特定情報ａ２に対応する該検知手段により検知された基地局Ａ２を選択する選択手段とを具備する。
【００２４】
本発明になる移動電話機の基地局選択方法は、地局からの特定情報を検知する検知手段と、基地局を特定する特定情報が系列的に記憶されている記憶手段と、交信に際しての基地局を選択する選択手段とを備えた移動電話機の基地局を選択する方法であって、前記記憶手段に系列的に記憶されている特定情報から読み出された特定情報と、前記検知手段により位置Ｐ１で検知された基地局からの特定情報ａ１とを対比する第１ステップと、前記第１ステップにおいて、対比が一致した場合、この一致した特定情報ａ１に対応する該検知手段により検知された基地局Ａ１を前記選択手段により選択する第２ステップと、前記第２ステップの後で、かつ、位置Ｐ１から次位置Ｐ２に移動電話機が移動した場合において、前記特定情報ａ１の次位置に系列的に記憶されている特定情報を前記記憶手段から読み出し、この読み出された特定情報と位置Ｐ２で前記検知手段により検知された基地局からの特定情報ａ２とを対比する第３ステップと、前記第３ステップにおいて、対比が一致した場合、この一致した特定情報ａ２に対応する該検知手段により検知された基地局Ａ２を前記選択手段により選択する第４ステップとを具備する。
【００２５】
以下、更に具体的に説明する。
図１は本発明になる移動電話機の概略図、図２は移動電話機により交信基地局を選択する動作を説明するフロー図である。
【００２６】
図１中、１は、移動電話機（例えば、携帯電話機、自動車電話機、或いはＰＨＳ等の端末機）である。２は無線信号を受信する為のアンテナである。３は基地局との通信を正しい周波数にて行なう送受信部である。４は液晶ディスプレイ等の表示部である。５はテンキーや電源スイッチ更には各種の選択キースイッチ等の操作部である。６は移動電話機の移動を検知する移動検知部である。
【００２７】
７は記憶部である。記憶部７には基地局を特定する特定情報が記憶されている。特に、基地局を特定する特定情報が系列的に記憶されている。例えば、基地局Ａ１，Ａ２，Ａ３，Ａ４，Ａ５，Ａ６，……，Ａｎを特定する特定情報ａ１，ａ２，ａ３，ａ４，ａ５，ａ６，……，ａｎが順に記憶されている。尚、これ等の基地局Ａ１，Ａ２，Ａ３，Ａ４，Ａ５，Ａ６，……，Ａｎを順に追っかけて行くと、ルートＡ上を移動していることになる。その意味では、ルートＡにおける基地局を特定する特定情報ａ１，ａ２，ａ３，ａ４，ａ５，ａ６，……，ａｎが順に登録されているのである。同様に、基地局Ａ１，Ａ２，Ｂ１，Ｂ２，Ｂ３，Ｂ４，Ｂ５，Ｂ６，……，Ｂｎを特定する特定情報ａ１，ａ２，ｂ１，ｂ２，ｂ３，ｂ４，ｂ５，ｂ６，……，ｂｎが順に記憶されている。そして、ルートＡの場合と同様に、これ等の基地局Ａ１，Ａ２，Ｂ１，Ｂ２，Ｂ３，Ｂ４，Ｂ５，Ｂ６，……，Ｂｎを順に追っかけて行くと、ルートＢ上を移動していることになる。その意味では、ルートＢにおける基地局を特定する特定情報ａ１，ａ２，ｂ１，ｂ２，ｂ３，ｂ４，ｂ５，ｂ６，……，ｂｎが順に登録されているのである。同様に、基地局Ａ１，Ｃ１，Ｃ２，Ｃ３，Ｃ４，Ｃ５，Ｃ６，……，Ｃｎを特定する特定情報ａ１，ｃ１，ｃ２，ｃ３，ｃ４，ｃ５，ｃ６，……，ｃｎが順に記憶されている。そして、ルートＡ，Ｂの場合と同様に、これ等の基地局Ａ１，Ｃ１，Ｃ２，Ｃ３，Ｃ４，Ｃ５，Ｃ６，……，Ｃｎを順に追っかけて行くと、ルートＣ上を移動していることになる。その意味では、ルートＣにおける基地局を特定する特定情報ａ１，ｃ１，ｃ２，ｃ３，ｃ４，ｃ５，ｃ６，……，ｃｎが順に登録されているのである。その他にも、例えば東海道新幹線、東北新幹線のような高速電車の移動ルートや、高速道路のような高速移動が行なわれるルートにおける基地局が順に登録されている。
【００２８】
８は制御部である。制御部８は、送受信部３で受信した基地局からの基地局を特定する特定情報（下り制御信号）と記憶部７から読み出された基地局を特定する特定情報とを対比し、この対比が一致した場合、この一致した特定情報に対応する基地局を交信基地局として選択するようになっている。特に、位置Ｐ１で、送受信部３で受信した基地局からの基地局を特定する特定情報ａ１と記憶部７に系列的に記憶されている特定情報から読み出された特定情報とを対比する。そして、一致した場合、この一致した特定情報ａ１に対応する基地局Ａ１を交信基地局として選択するようになっている。この後、位置Ｐ１から移動した次の位置Ｐ２では、特定情報ａ１の次の位置に系列的に記憶されている特定情報を読み出し、この読み出された特定情報と位置Ｐ２で送受信部３で受信した基地局からの特定情報ａ２とを対比して一致した場合、この一致した特定情報ａ２に対応する基地局を交信基地局として選択するようになっている。以降も同様な動作をするようになっている。かつ、送受信部３で受信した基地局からの特定情報が記憶部３に記憶させている特定情報の中に無い場合には、従来の携帯電話機と同様に、電界強度が最も高い基地局を選択して交信基地局とするようになっている。
【００２９】
次に、上記構成の移動電話機による基地局の選択プロセスについて図２と共に説明する。
【００３０】
先ず、位置Ｐ１において、移動電話機１の送受信部３は基地局Ａ１からの下り信号（制御信号（特定情報ａ１））を受信している（ステップ１）。
【００３１】
次に、ステップ１で受信した基地局Ａ１の特定情報ａ１が記憶部７に記憶されているものであるか否かを制御部８は検索する。すなわち、記憶部７に特定情報ａ１が記憶されているか否かを制御部８により検索する（ステップ２）。
【００３２】
記憶部７に特定情報ａ１が記憶されていた場合には、制御部８は、移動電話機１の交信基地局として、記憶部７に記憶されている特定情報ａ１が対応する基地局Ａ１を選択する（ステップ３）。尚、本実施形態にあっては、特定情報ａ１はルートＡ，Ｂ，Ｃにおいて登録されている。従って、位置Ｐ１は登録ルートＡ，Ｂ，Ｃ上に有ると考える。
【００３３】
次に、位置Ｐ１から位置Ｐ２に移動電話機１が移動したとする。そうすると、移動電話機１の送受信部３は新たな基地局からの下り信号（制御信号（特定情報が仮にａ２であったとする。））を受信するようになる（ステップ４）。そうすると、制御部８は、特定情報ａ１の次の位置に特定情報ａ２が記憶部７に記憶されているか否かを検索する（ステップ５）。
【００３４】
記憶部７に特定情報ａ２が記憶されていた場合には、制御部８は、移動電話機１の交信基地局として、記憶部７に記憶されている特定情報ａ２が対応する基地局Ａ２を選択する（ステップ６）。尚、本実施形態にあっては、特定情報ａ２はルートＡ，Ｂにおいて登録されている。従って、位置Ｐ２は登録ルートＡ，Ｂ上に有ると考える。
【００３５】
次に、位置Ｐ２から位置Ｐ３に移動電話機１が移動したとする。そうすると、移動電話機１の送受信部３は新たな基地局からの下り信号（制御信号（特定情報が仮にａ３であったとする。））を受信するようになる（ステップ７）。そうすると、制御部８は、特定情報ａ２の次の位置に特定情報ａ３が記憶部７に記憶されているか否かを検索する（ステップ８）。
【００３６】
記憶部７に特定情報ａ３が記憶されていた場合には、制御部８は、移動電話機１の交信基地局として、記憶部７に記憶されている特定情報ａ３が対応する基地局Ａ３を選択する（ステップ９）。尚、本実施形態にあっては、特定情報ａ３はルートＡにおいて登録されている。従って、位置Ｐ３は登録ルートＡ上に有ると考える。
【００３７】
そして、以下、同様にして交信基地局を選択すれば、スピーディに交信基地局を選択できる。従って、ハンドオーバが起き難くなる。
【００３８】
尚、制御部８による検索ステップにおいて、記憶部７に特定情報ａｋが記憶されていない場合には、移動電話機は登録しているルート上には無いものと見做す。そして、移動電話機１は電界強度に基づいて基地局を選択する従来と同じ動作を行なう。つまり、交信基地局として、最も高い電界強度の基地局を選択する（ステップ１０）。
【図面の簡単な説明】
【００３９】
【図１】本発明になる移動電話機の概略図
【図２】本発明になる移動電話機の交信基地局選択のフロー図
【図３】本発明の特長を図解する説明図
【符号の説明】
【００４０】
１      移動電話機
３      送受信部（検知手段）
７      記憶部（記憶手段）
８      制御部（選択手段）
特許出願人  日本電気株式会社
代  理  人  宇  高    克  己
【図１】
2005150793.tif 000003
【図２】
2005150793.tif 000004
【図３】
2005150793.tif 000005